(57)【要約】【課題】複数種類の色の光の配光を別々に制御する。【解決手段】照明器具Ｘの導光板３は、第１配光制御部３４と第２配光制御部３５が設けられている。第１配光制御部３４は、導光板３の第１表面３０及び第２表面から出射される第１の光の配光を主として制御する。第２配光制御部３５は、第２の光の配光を主として制御する。ゆえに、照明器具Ｘは、第１の光及び第２の光の複数種類の色の光の配光を別々に制御することができる。【選択図】        図５
2017107821.tif 000002
【特許請求の範囲】
【請求項１】
第１の光を放射する第１光源と、前記第１の光と光色が異なる第２の光を放射する第２光源と、透光性を有して板状に形成されている１つ又は複数の導光板と、前記第１光源、前記第２光源及び前記導光板を支持する筐体とを備え、
前記筐体は、前記導光板の厚み方向に沿った複数の端面のうちの少なくとも１つの端面と、前記第１光源及び前記第２光源とを対向させて支持しており、
前記導光板は、前記端面から入射する前記第１の光及び前記第２の光を導光し、かつ、前記複数の端面のうちで前記第１光源及び前記第２光源と対向しない端面と、前記厚み方向に沿って対向する第１表面及び第２表面のうちの少なくともいずれか一方の表面とから、前記第１の光及び第２の光を出射させるように構成され、
さらに、前記導光板は、前記第１表面及び前記第２表面のうちで前記第１の光及び第２の光を出射する表面に、第１配光制御部及び第２配光制御部がそれぞれ１つ又は複数設けられ、
前記第１配光制御部は、主として前記第１の光の配光を制御するように構成されており、
前記第２配光制御部は、主として前記第２の光の配光を制御するように構成されていることを特徴とする照明器具。
【請求項２】
前記導光板は、厚み方向から見ておおよそ多辺形状に形成され、
前記筐体は、前記導光板の隣り合う複数の辺を含む複数の前記端面と、前記第１光源及び前記第２光源とを対向させて支持していることを特徴とする請求項１記載の照明器具。
【請求項３】
前記筐体は、複数の前記導光板のそれぞれの前記端面と、前記第１光源及び前記第２光源とを対向させて支持していることを特徴とする請求項１又は２記載の照明器具。
【請求項４】
前記筐体は、３つ以上の前記導光板を周方向に並べて支持し、かつ、前記３つ以上の導光板に囲まれている領域に前記第１光源及び前記第２光源を収容していることを特徴とする請求項３記載の照明器具。
【請求項５】
前記第１光源及び前記第２光源に給電するための給電部を備え、
前記筐体は、３つ以上の前記導光板を周方向に並べて支持し、かつ、前記３つ以上の導光板に囲まれている領域に前記給電部を配置していることを特徴とする請求項３又は４記載の照明器具。
【請求項６】
前記第１配光制御部及び前記第２配光制御部は、複数のプリズムをそれぞれ有しており、前記第１配光制御部が有する第１プリズムと、前記第２配光制御部が有する第２プリズムとは同一の形状に形成されていることを特徴とする請求項１〜５のいずれか１項に記載の照明器具。
【発明の詳細な説明】
【技術分野】
【０００１】
本発明は、照明器具に関し、より詳細には、互いに発光色が異なる複数種類の固体発光素子から放射される光を導光板で導光して照明空間に照射する照明器具に関する。
【背景技術】
【０００２】
従来例として、特許文献１記載の照明装置を例示する。特許文献１記載の照明装置は、装置本体となるシャーシと、シャーシに保持される複数のＬＥＤモジュールと、複数のＬＥＤモジュールからの光の向きを制御する導光板とを備えている。シャーシは、金属材料で円板状に形成されている。ＬＥＤモジュールは、矩形板状のＬＥＤ基板と、ＬＥＤ基板の長辺に沿って列状に実装され、昼光色の光を発する複数の昼光色ＬＥＤと、複数の昼光色ＬＥＤ間に実装され、電球色の光を発する複数の電球色ＬＥＤとを備えている。なお、ＬＥＤモジュールは、光源保持部に保持されてシャーシの一面に取り付けられている。
【０００３】
導光板は、アクリル樹脂により、中央にＬＥＤモジュールの配置形状に合わせた正八角形状の穴を有する円板状に形成されている。導光板は、中央の穴の内周面から入射されるＬＥＤモジュールの光を導光するように構成されている。導光板の一面には、ＬＥＤモジュールからの光を乱反射する反射部としての反射ドットが複数印刷してある。反射ドットは、円形状を有し、ＬＥＤモジュールからの遠近に応じて、ＬＥＤモジュールからの光を乱反射する面積、詳しくは反射ドットの面積が大小となるように設けられている。ＬＥＤモジュールから導光板に入射した光は、反射ドットにおいて乱反射し、一部の光が導光板の他面から出射することになり、略均一な面発光を行うことができる。
【先行技術文献】
【特許文献】
【０００４】
【特許文献１】特開２０１１−２２２４２０号公報
【発明の概要】
【発明が解決しようとする課題】
【０００５】
ところで、特許文献１記載の照明装置のような構成では、昼光色ＬＥＤから放射される昼光色の光の配光と、電球色ＬＥＤから放射される電球色の光の配光とを別々に制御することができなかった。
【０００６】
本発明は、上記課題に鑑みてなされており、複数種類の色の光の配光を別々に制御することを目的とする。
【課題を解決するための手段】
【０００７】
本発明の照明器具は、第１の光を放射する第１光源と、前記第１の光と光色が異なる第２の光を放射する第２光源と、透光性を有して板状に形成されている１つ又は複数の導光板と、前記第１光源、前記第２光源及び前記導光板を支持する筐体とを備え、前記筐体は、前記導光板の厚み方向に沿った複数の端面のうちの少なくとも１つの端面と、前記第１光源及び前記第２光源とを対向させて支持しており、前記導光板は、前記端面から入射する前記第１の光及び前記第２の光を導光し、かつ、前記複数の端面のうちで前記第１光源及び前記第２光源と対向しない端面と、前記厚み方向に沿って対向する第１表面及び第２表面のうちの少なくともいずれか一方の表面とから、前記第１の光及び第２の光を出射させるように構成され、さらに、前記導光板は、前記第１表面及び前記第２表面のうちで前記第１の光及び第２の光を出射する表面に、第１配光制御部及び第２配光制御部がそれぞれ１つ又は複数設けられ、前記第１配光制御部は、主として前記第１の光の配光を制御するように構成されており、前記第２配光制御部は、主として前記第２の光の配光を制御するように構成されていることを特徴とする。
【発明の効果】
【０００８】
本発明の照明器具は、複数種類の色の光の配光を別々に制御することができるという効果がある。
【図面の簡単な説明】
【０００９】
【図１】本発明の実施形態１に係る照明器具の斜視図である。
【図２】本発明の実施形態１に係る照明器具の下面図である。
【図３】本発明の実施形態１に係る照明器具の長手方向から見た側面図である。
【図４】本発明の実施形態１に係る照明器具の短手方向から見た一部破断した側面図である。
【図５】本発明の実施形態１に係る照明器具における筐体及び導光板の一部省略した部分断面図である。
【図６】図６Ａ−図６Ｃは、本発明の実施形態１に係る照明器具におけるプリズムの変形例の投影図である。
【図７】図７Ａ、図７Ｂは、本発明の実施形態１に係る照明器具におけるプリズムの変形例の投影図である。
【図８】図８Ａ−図８Ｃは、本発明の実施形態１に係る照明器具の配光特性を説明するための説明図である。
【図９】本発明の実施形態２に係る照明器具の斜視図である。
【図１０】本発明の実施形態２に係る照明器具の分解斜視図である。
【図１１】本発明の実施形態２に係る照明器具の下面図である。
【図１２】図１２Ａは、本発明の実施形態２に係る照明器具における第１のＬＥＤモジュールの斜視図、図１２Ｂは、本発明の実施形態２に係る照明器具における第２のＬＥＤモジュールの斜視図である。
【図１３】図１３Ａは、本発明の実施形態２に係る照明器具の側面図、図１３Ｂは、本発明の実施形態２に係る照明器具の側面断面図である。
【図１４】本発明の実施形態２に係る照明器具の第１配光制御部及び第２配光制御部を含む一部省略した平面図である。
【発明を実施するための形態】
【００１０】
以下、本発明の実施形態に係る照明器具について、図面を参照して詳細に説明する。なお、以下の実施形態で説明する構成は本発明の一例にすぎない。本発明は、以下の実施形態に限定されず、本発明に係る技術的思想を逸脱しない範囲であれば、設計等に応じて種々の変更が可能である。
【００１１】
（実施形態１）
本発明の実施形態１に係る照明器具Ｘ（以下、照明器具Ｘと略す）は、図１〜図５に示すように、筐体１と、複数のＬＥＤモジュール２と、複数枚（図示例では２枚）の導光板３とを備えている。ただし、以下の説明においては、特に断りのない限り、図１に示すように、筐体１の高さ方向、長手方向、短手方向をそれぞれ上下方向、左右方向、前後方向と規定する。
【００１２】
筐体１は、例えば、金属板又は合成樹脂の成形体により、左右方向を長手方向とする扁平かつ中空の直方体状に形成されている。筐体１は、上面における左右両端近傍から上向きに突出する２本の支柱１００を有している（図１参照）。筐体１は、２本の支柱１００により、天井から吊り下げて支持されている。また、筐体１は、前側の側面及び後側の側面に、それぞれ長手方向（左右方向）に沿った直線状の溝１０が形成されている。なお、それぞれの溝１０は、筐体１の左右両側の側面まで達している（図１及び図３参照）。
【００１３】
２枚の導光板３は、ガラス板もしくはアクリル樹脂やポリカーボネート樹脂などの透光性を有する合成樹脂製の板材により、上下方向から見て、おおよそ長尺の四辺形（長方形）に形成されている。ただし、これら２枚の導光板３は、同一の形状及び同一の寸法に形成されている。そして、これら２枚の導光板３は、２つの長辺のうちの一方の長辺側の端部が筐体１の２本の溝１０に各別に挿入されて筐体１に保持されている（図１〜図５参照）。なお、これら２枚の導光板３は、筐体１に保持されている端部における長手方向（左右方向）の両端がＣ面取りされ、かつ、筐体１に保持されていない側の端部における長手方向の両端がＲ面取りされて円弧状に形成されている（図１参照）。
【００１４】
複数（本実施形態では２つ）のＬＥＤモジュール２の各々は、図５に示すように、長尺の矩形板状に形成されている基板２２と、基板２２の表面（実装面）に実装されている複数の固体発光素子（ＬＥＤ）とで構成されている。ただし、ＬＥＤは、第１の光（例えば、白色光）を放射する白色ＬＥＤ（以下、第１ＬＥＤという）２０と、第２の光（例えば、電球色光）を放射する電球色ＬＥＤ（以下、第２ＬＥＤという）２１とを含んでいる。つまり、それぞれのＬＥＤモジュール２は、基板２２の長手方向（左右方向）に沿って、１つ又は複数の第１ＬＥＤ２０と、１つ又は複数の第２ＬＥＤ２１とが１列に並ぶように配置されて基板２２の実装面に実装されている。ここで、基板２２の実装面には、隣り合って１列に並んでいる１つ又は複数の第１ＬＥＤ２０（以下、第１ＬＥＤ群という）と、同じく隣り合って１列に並んでいる１つ又は複数の第２ＬＥＤ２１（以下、第２ＬＥＤ群という）とが、交互に並べて配置されている。また、図示は省略しているが、基板２２の実装面には、複数の第１ＬＥＤ群に含まれる第１ＬＥＤ２０をそれぞれ電気的に接続するための配線（導体）と、複数の第２ＬＥＤ群に含まれる第２ＬＥＤ２１をそれぞれ電気的に接続するための配線（導体）が形成される。なお、基板２２は、実装面と反対側の裏面全体に導体（銅はく）が形成されることが好ましい。さらに、基板２２の実装面の長手方向の一端側には、第１ＬＥＤ群の配線（導体）と電気的に接続されているレセプタクルコネクタ（図示せず）と、第２ＬＥＤ群の配線（導体）と電気的に接続されているレセプタクルコネクタ（図示せず）とが実装されている。
【００１５】
一方のＬＥＤモジュール２は、図５に示すように、筐体１の長手方向に沿った一端（後端）に配置され、基板２２の実装面を後側の導光板３の入射面３２に対向させるようにして筐体１内に収容されている。また、他方のＬＥＤモジュール２は、筐体１の長手方向に沿った他端（前端）に配置され、基板２２の実装面を前側の導光板３の入射面３２に対向させるようにして筐体１内に収容されている。つまり、基板２２の実装面に実装されている複数の第１ＬＥＤ２０から放射される白色光（第１の光）が、筐体１に保持されている導光板３の端部における長手方向に沿った端面（入射面３２）から導光板３に入射する。同様に、基板２２の実装面に実装されている複数の第２ＬＥＤ２１から放射される電球色光（第２の光）が、入射面３２から導光板３に入射する。なお、筐体１の内部において、２つのＬＥＤモジュール２の基板２２の裏面が筐体１と熱的に結合され、ＬＥＤモジュール２から発する熱が筐体１に伝導されて放熱されることが好ましい。この場合、筐体１が熱の良導体である金属（例えば、アルミ又はアルミ合金）で形成されていることが好ましい。
【００１６】
ところで、２つのＬＥＤモジュール２は、図示しない電源装置から給電されて発光（点灯）する。電源装置は、例えば、電力系統から供給される交流電力を直流電力に変換する電力変換回路、第１ＬＥＤ群に直流電力を供給する第１電源回路、第２ＬＥＤ群に直流電力を供給する第２電源回路などを備えることが好ましい。電力変換回路は、例えば、昇圧チョッパ回路（力率改善回路）で構成されることが好ましい。第１電源回路及び第２電源回路は、電力変換回路から出力される高電圧の直流電力を降圧する降圧チョッパ回路（ＤＣ／ＤＣコンバータ）で構成されることが好ましい。なお、第１電源回路及び第２電源回路の出力端は、それぞれ一対の電線及び一対の電線の先端に設けられているプラグコネクタを介してＬＥＤモジュール２の配線（導体）と電気的に接続されることが好ましい。つまり、第１電源回路の出力端に接続されている電線のプラグコネクタと、ＬＥＤモジュール２の第１ＬＥＤ群と接続されているレセプタクルコネクタとが接続される。同様に、第２電源回路の出力端に接続されている電線のプラグコネクタと、ＬＥＤモジュール２の第２ＬＥＤ群と接続されているレセプタクルコネクタとが接続される。
【００１７】
さらに、電源装置は、制御回路を備えることが好ましい。制御回路は、外部のコントローラ（図示せず）から有線通信又は無線通信で伝送される制御信号に応じて、第１電源回路及び第２電源回路の入切や出力調整を行うように構成されることが好ましい。なお、これらの電力変換回路、第１電源回路、第２電源回路、制御回路などは、プリント配線板に種々の回路部品が実装されて構成されている。そして、電源装置は、金属製又は合成樹脂製のケース（図示せず）内に、電力変換回路、第１電源回路、第２電源回路、制御回路などを収容して構成されている。電源装置は、筐体１内に収容されることが好ましい。ただし、電源装置は、筐体１内に収容されなくてもよい。電源装置は、筐体１内に収容されない場合、例えば、天井裏などに設置されることが好ましい。また、電源装置が筐体１内に収容されている場合、天井裏に配線されている電力系統の給電線が、例えば、支柱１００の内部を通して筐体１内に引き込まれることが好ましい。
【００１８】
ＬＥＤモジュール２の第１ＬＥＤ２０及び第２ＬＥＤ２１は、電源装置から供給される直流電力で発光（点灯）する。そして、第１ＬＥＤ２０から放射される第１の光、並びに第２ＬＥＤ２１から放射される第２の光は、入射面３２から導光板３に入射して導光され、導光板３の上面、下面及び側面から出射する。なお、以下の説明では、導光板３の厚み方向に対向する２つの表面のうちで下に向いている面（下面）を第１表面３０と呼び、上に向いている面（上面）を第２表面３１と呼ぶ。さらに、導光板３の厚み方向に沿った側面のうち、入射面３２を除く側面を出射端面３３と呼ぶ（図１〜図３参照）。
【００１９】
ここで、導光板３の第１表面３０及び第２表面３１には、第１配光制御部３４及び第２配光制御部３５が形成されている（図１−図５参照）。第１配光制御部３４は、多数の第１プリズム３４０を有している。また、第２配光制御部３５も多数の第２プリズム３５０を有している。第１プリズム３４０及び第２プリズム３５０は、図６Ａの投影図に示すように、四角錐の側面（四角形の底面を除く面）で構成された凹所として形成されている。第１配光制御部３４は、導光板３の厚み方向（上下方向）から見て、第１ＬＥＤ２０とほぼ１列に並び、かつ、三角形状の４つの面のうちの１つの面を第１ＬＥＤ２０と対向させる向きで多数の第１プリズム３４０が並べられて構成されている（図５参照）。一方、第２配光制御部３５は、導光板３の厚み方向から見て、第２ＬＥＤ２１と直線的に並び、かつ、三角形状の４つの面のうちの２つの面を第２ＬＥＤ２１と対向させる向きで多数の第２プリズム３５０が並べて構成されている（図５参照）。なお、第１配光制御部３４及び第２配光制御部３５は、導光板３の表面（第１表面３０及び第２表面３１）にレーザ加工によって形成されるか、あるいは、樹脂成形によって形成されることが好ましい。ただし、第１プリズム３４０及び第２プリズム３５０は四角錐形状に限定されず、例えば、図６Ｂの投影図に示す円錐形状の凹所や、図６Ｃの投影図に示す半楕円体形状の凹所、図７Ａの投影図に示す斜円錐形状の凹所、図７Ｂの投影図に示す三角柱形状の凹所でもよい。さらに、第１配光制御部３４及び第２配光制御部３５は、導光板３の第１表面３０又は第２表面３１のいずれか一方にだけ設けられても構わない。また、第１プリズム３４０及び第２プリズム３５０は、導光板３の表面（第１表面３０及び第２表面３１）から突出するように形成されてもよい。
【００２０】
ここで、導光板３の入射面３２から入射した第１の光は、導光板３の第１表面３０及び第２表面３１から出射する際、第１配光制御部３４及び第２配光制御部３５によって配光が制御されるが、主として第１配光制御部３４によって配光が制御される。一方、導光板３の入射面３２から入射した第２の光は、導光板３の第１表面３０及び第２表面３１から出射する際、第１配光制御部３４及び第２配光制御部３５によって配光が制御されるが、主として第２配光制御部３５によって配光が制御される。そして、照明器具Ｘの配光特性は、第１ＬＥＤ２０、第２ＬＥＤ２１、第１配光制御部３４及び第２配光制御部３５の配置、第１プリズム３４０及び第２プリズム３５０の形状、第１プリズム３４０及び第２プリズム３５０の向きなどによって決まる。例えば、ＬＥＤモジュール２において、基板２２の長手方向の両端に第２ＬＥＤ群が実装され、基板２２の長手方向の中央に第１ＬＥＤ群が実装されている。そして、筐体１の長手方向に沿った導光板３の両端に第２配光制御部３５が設けられ、筐体１の長手方向に沿った導光板３の中央に第１配光制御部３４が設けられている。この場合、図８Ａに示すように、導光板３の第１表面３０において、中央の第１領域Ｙ１からは主として第１の光が出射され、両端の第２領域Ｙ２からは第２の光が出射され、第１領域Ｙ１と第２領域Ｙ２に挟まれた第３領域Ｙ３からは第１の光と第２の光が出射される。
【００２１】
また、導光板３の第１表面３０、第２表面３１及び出射端面３３から出射される第１の光の配光特性を、それぞれＺ１１、Ｚ１２、Ｚ１３で表す（図８Ｂ参照）。同様に、導光板３の第１表面３０、第２表面３１及び出射端面３３から出射される第２の光の配光特性を、それぞれＺ２１、Ｚ２２、Ｚ２３で表す（図８Ｃ参照）。第１の光の２つの配光特性Ｚ１２、Ｚ１３と、第２の光の２つの配光特性Ｚ２２、Ｚ２３とはほぼ同一である。一方、第１の光の下向きの配光特性Ｚ１１は、第２の光の下向きの配光特性Ｚ２１に比べて、水平方向の広がりが小さく、かつ、下向きの広がりが大きくなっている。つまり、相対的に高い色温度の第１の光（白色光）を導光板３の真下に照射し、相対的に色温度の低い第２の光（電球色光）を導光板３の真下よりも周囲に照射している。そして、このような第１の光の配光特性と第２の光の配光特性は、導光板３に設けられている第１配光制御部３４及び第２配光制御部３５によって実現されている。
【００２２】
上述のように照明器具Ｘは、第１の光を放射する第１光源（第１ＬＥＤ２０）と、第１の光と光色が異なる第２の光を放射する第２光源（第２ＬＥＤ２１）とを備えている。また、照明器具Ｘは、透光性を有して板状に形成されている１つ又は複数の導光板３と、第１ＬＥＤ２０、第２ＬＥＤ２１及び導光板３を支持する筐体１とを備えている。筐体１は、導光板３の厚み方向（上下方向）に沿った複数の端面のうちの少なくとも１つの端面（入射面３２）と、第１ＬＥＤ２０及び第２ＬＥＤ２１とを対向させて支持している。導光板３は、入射面３２から入射する第１の光及び第２の光を導光するように構成されている。かつ、導光板３は、複数の端面のうちで第１ＬＥＤ２０及び第２ＬＥＤ２１と対向しない端面（出射端面３３）から第１の光及び第２の光を出射させるように構成されている。かつ、導光板３は、厚み方向に沿って対向する第１表面３０及び第２表面３１のうちの少なくともいずれか一方の表面から、第１の光及び第２の光を出射させるように構成されている。さらに、導光板３は、第１表面３０及び第２表面３１のうちで第１の光及び第２の光を出射する表面に、第１配光制御部３４及び第２配光制御部３５がそれぞれ１つ又は複数設けられている。第１配光制御部３４は、主として第１の光の配光を制御するように構成されている。第２配光制御部３５は、主として第２の光の配光を制御するように構成されている。
【００２３】
照明器具Ｘが上述のように構成されれば、導光板３の第１表面３０及び第２表面３１から出射される第１の光の配光を主として第１配光制御部３４で制御し、第２の光の配光を主として第２配光制御部３５で制御することができる。つまり、照明器具Ｘは、第１の光及び第２の光の複数種類の色の光の配光を別々に制御することができる。例えば、照明器具Ｘは、ＬＥＤモジュール２の第１ＬＥＤ２０から放射される色温度の高い第１の光で床を照明し、同じＬＥＤモジュール２の第２ＬＥＤ２１から放射される色温度の低い第２の光で壁や天井を照明することができる。したがって、照明器具Ｘは、第１の光で床を照明するためのＬＥＤモジュール及び導光板と、第２の光で壁や天井を照明するためのＬＥＤモジュール及び導光板とを備える場合に比較して、構成の簡素化による小型化及び製造コストの削減を図ることができる。
【００２４】
また、照明器具Ｘにおいて、筐体１は、複数の導光板３のそれぞれの端面（入射面３２）と、第１光源（第１ＬＥＤ２０）及び第２光源（第２ＬＥＤ２１）とを対向させて支持していることが好ましい。
【００２５】
照明器具Ｘが上述のように構成されれば、第１ＬＥＤ２０及び第２ＬＥＤ２１から放射される光（第１の光及び第２の光）を、導光板３に効率よく入射させることができる。
【００２６】
さらに、照明器具Ｘにおいて、第１配光制御部３４及び第２配光制御部３５は、複数のプリズムをそれぞれ有していることが好ましい。第１配光制御部３４が有する第１プリズム３４０と、第２配光制御部３５が有する第２プリズム３５０とは同一の形状に形成されていることが好ましい。
【００２７】
照明器具Ｘが上述のように構成されれば、第１プリズム３４０と第２プリズム３５０の形状が互いに異なる場合と比較して、導光板３に対して第１配光制御部３４と第２配光制御部３５を容易に形成することができる。
【００２８】
（実施形態２）
本発明の実施形態２に係る照明器具ＸＸ（以下、照明器具ＸＸと略す）について、図９〜図１４を参照して詳細に説明する。照明器具ＸＸは、筐体４と、複数のＬＥＤモジュール５と、３枚の導光板６と、電源ユニット７とを備えている。ただし、以下の説明においては、特に断りのない限り、図９において、上下、左右、前後の各方向を規定する。
【００２９】
ＬＥＤモジュール５は、第１のＬＥＤモジュール５Ａと第２のＬＥＤモジュール５Ｂを含む（図１０参照）。第１のＬＥＤモジュール５Ａは、図１２Ａに示すように、長尺の矩形板状に形成されている基板５２と、基板５２の表面（実装面）に実装されている複数のＬＥＤ（第１ＬＥＤ５０）とで構成されている。第１ＬＥＤ５０は、白色光（第１の光）を放射する白色ＬＥＤである。第２のＬＥＤモジュール５Ｂは、図１２Ｂに示すように、基板５２と、複数の第１ＬＥＤ５０と、複数の第２ＬＥＤ５１とで構成されている。第２ＬＥＤ５１は、電球色光（第２の光）を放射する電球色ＬＥＤである。第２のＬＥＤモジュール５Ｂにおいて、第１ＬＥＤ５０と第２ＬＥＤ５１とは、基板５２の実装面に交互かつ１列に並べて実装されている。また、図示は省略しているが、それぞれの基板５２の実装面には、導体（銅はく）によって電気配線が形成されている。導体は、基板５２の実装面に実装されるレセプタクルコネクタ（図示せず）を、第１ＬＥＤ５０、第２ＬＥＤ５１と電気的に接続している。
【００３０】
筐体４は、図１０に示すように、ボディ４０とカバー４１で構成されている。ボディ４０は、上下方向から見ておおよそ三角形状のボディ側本体部４００と、ボディ側本体部４００の３つの頂点付近より、それぞれボディ側本体部４００から離れる向きに突出する３つのボディ側腕部４０１とを備えている（図１０及び図１１参照）。
【００３１】
ボディ側本体部４００は、おおよそ三角形状の底板４０００と、底板４０００の３つの辺に沿って上向きに立ち上がる、矩形板状の側板４００１と、底板４０００の中央から上向きに突出する円錐台形状の支柱４００２とを有している。３つの第１のＬＥＤモジュール５Ａは、それぞれ実装面を外に向け、かつ、側板４００１の上端よりも上に第１ＬＥＤ５０を位置させて、ボディ側本体部４００内に収容されている（図１０参照）。
【００３２】
３つのボディ側腕部４０１は、矩形板状の底板４０１０と、底板４０１０の長手方向に沿った両端から上向きに立ち上がる一対の第１側板４０１１と、底板４０１０の短手方向に沿った先端から斜め上向きに立ち上がる第２側板４０１２とを有している。なお、一対の第１側板４０１１は、先端部分を除いて、ボディ側本体部４００の側板４００１と同じ高さに形成され、先端部分が側板４００１よりも僅かに高く形成されている（図１０参照）。そして、３つのボディ側腕部４０１内には、第２のＬＥＤモジュール５Ｂがそれぞれ２つずつ収容されている。２つの第２のＬＥＤモジュール５Ｂは、それぞれ実装面を外に向け、かつ、第１側板４０１１の上端（ただし、先端部分を除く）よりも上に第１ＬＥＤ５０及び第２ＬＥＤ５１を位置させて、ボディ側腕部４０１内に収容されている（図１０参照）。
【００３３】
カバー４１は、カバー側本体部４１０と、３つのカバー側腕部４１１とを備えている（図１０参照）。カバー側本体部４１０は、上下方向から見て、三角形の３辺を弧状とした形状に形成されている。３つのカバー側腕部４１１は、上下方向から見て、隣り合う２辺を平行に伸ばした長方形状に形成されている。
【００３４】
カバー側本体部４１０は、底壁４１００と、底壁４１００の周縁から斜め下向きに突出する側壁４１０１とを有している。また、底壁４１００の中央には、円形の貫通孔４１０２が形成されている（図１０参照）。
【００３５】
３つのカバー側腕部４１１は、カバー側本体部４１０の底壁４１００と繋がった底壁４１１０と、カバー側本体部４１０の側壁４１０１と繋がった一対の第１側壁４１１１と、一対の第１側壁４１１１の先端同士を繋ぐ第２側壁４１１２とを有している。なお、底壁４１１０には、上下方向から見て矩形の通気孔４１１３がそれぞれ設けられている（図１０参照）。
【００３６】
筐体４は、第１のＬＥＤモジュール５Ａと第２のＬＥＤモジュール５Ｂを内部に収容し、かつ、３枚の導光板６を支持した状態でボディ４０の上にカバー４１が被せられて組み立てられている（図９〜図１１参照）。なお、ボディ４０とカバー４１は、接着やねじ止めなどの適宜の方法で結合されることが好ましい。
【００３７】
電源ユニット７は、図示しない電源装置と、電源装置を収容する円板状のケース７０とを有している（図９及び図１０参照）。電源装置は、実施形態１における電源装置と同様に、電力変換回路、第１電源回路、第２電源回路、制御回路などを備えている。なお、これらの電力変換回路、第１電源回路、第２電源回路、制御回路などは、円環状もしくは半円環状のプリント配線板に種々の回路部品が実装されて構成されることが好ましい。
【００３８】
ケース７０は、丸皿状に形成されている下ケース７１と、同じく丸皿状に形成されている上ケース７２とで構成されている（図１０参照）。下ケース７１は、底面の中央に円形の貫通孔７１０が形成されている。下ケース７１は、貫通孔７１０を筐体４（のカバー４１）に設けられている貫通孔４１０２と重ねるようにして、筐体４（のカバー４１）の上面に、ねじ止めなどの適宜の方法で固定されることが好ましい。また、上ケース７２は、下ケース７１の上に被せられ、接着やねじ止めなどの適宜の方法で下ケース７１と結合されることが好ましい。電源装置のプリント配線板は、下ケース７１内における貫通孔７１０の周囲に配置され、ねじ止めなどの適宜の方法で下ケース７１に固定されることが好ましい。なお、図１０では図示を省略しているが、上ケース７２は、中心付近に支柱１００が挿通される挿通孔が形成されることが好ましい。挿通孔に挿通される支柱１００が、ケース７０あるいは筐体４にねじ止めされることにより、電源ユニット７及び筐体４が支柱１００に取り付けられる（図９参照）。なお、天井裏に配線されている電力系統の給電線は、例えば、支柱１００の内部を通してケース７０内に引き込まれることが好ましい。あるいは、電源ユニット７は、天井に配設されている引掛シーリングに着脱可能に機械的かつ電気的に接続される一対の引掛刃を備えてもよい。この場合、一対の引掛刃が引掛シーリングの引掛刃用刃受部にかん合することにより、電源ユニット７と引掛シーリングとが電気的及び機械的に接続される。
【００３９】
３枚の導光板６は、ガラス板もしくはアクリル樹脂やポリカーボネート樹脂などの透光性を有する合成樹脂製の板材により、長尺の８角形状に形成されている。ただし、これら３枚の導光板６は、同一の形状及び同一の寸法に形成されている。これら３枚の導光板６は、筐体４の側面（ボディ４０とカバー４１が結合している面）に形成される幅細の溝４２に、長手方向に沿って並ぶ３つの辺６０Ａ、６０Ｂ、６０Ｃが挿入されて筐体４に支持されている（図１０、図１３Ａ、１３Ｂ、図１４参照）。そして、導光板６は、中央の辺６０Ａを含む側端面で第１のＬＥＤモジュール５Ａの第１ＬＥＤ５０と対向し、両端の辺６０Ｂ、６０Ｃを含む２つの側端面でそれぞれ第２のＬＥＤモジュール５Ｂの第１ＬＥＤ５０及び第２ＬＥＤ５１と対向している（図１４参照）。つまり、導光板６は、第１のＬＥＤモジュール５Ａの第１の光が、中央の辺６０Ａを含む側端面（入射面）から入射され、第２のＬＥＤモジュール５Ｂの第１の光及び第２の光が、両端の辺６０Ｂ、６０Ｃを含む側端面（入射面）から入射される。
【００４０】
第１及び第２のＬＥＤモジュール５Ａ、５Ｂの第１ＬＥＤ５０及び第２ＬＥＤ５１は、電源ユニット７から供給される直流電力で発光（点灯）する。そして、第１ＬＥＤ５０から放射される第１の光、並びに第２ＬＥＤ５１から放射される第２の光は、３つの入射面から導光板６に入射して導光され、導光板６の上面、下面及び側面から出射する。なお、以下の説明では、導光板６の厚み方向に対向する２つの表面のうちで下に向いている面（下面）を第１表面６１と呼び、上に向いている面（上面）を第２表面６２と呼ぶ。さらに、導光板６の厚み方向に沿った側面のうち、入射面を除く５つの側面（筐体４の外に露出する側面）を出射端面６３と呼ぶ（図１０及び図１３Ａ、１３Ｂ参照）。
【００４１】
ここで、導光板６の第１表面６１には、第１配光制御部６４及び第２配光制御部６５が形成されている（図９−図１１及び図１４参照）。第１配光制御部６４は、多数の第１プリズム６４０を有している。また、第２配光制御部６５も多数の第２プリズム６５０を有している。第１プリズム６４０及び第２プリズム６５０は、例えば、実施形態１に係る照明器具Ｘにおける第１プリズム３４０及び第２プリズム３５０と同様に、四角錐形状の凹所で構成されている。
【００４２】
第１配光制御部６４は、導光板６の厚み方向から見て、導光板６の中央の辺６０Ａとほぼ直交する方向に並び、かつ、三角形状の４つの面のうちの１つの面を中央の辺６０Ａと対向させる向きで多数の第１プリズム６４０が並べられて構成されている（図１４参照）。一方、第２配光制御部６５は、導光板６の厚み方向から見て、両端の辺６０Ｂ、６０Ｃとほぼ直交する方向に並び、かつ、三角形状の４つの面のうちの２つの面をそれぞれの辺６０Ｂ、６０Ｃと対向させる向きで多数の第２プリズム６５０が並べて構成されている。なお、第１配光制御部６４及び第２配光制御部６５は、導光板６の表面（第１表面６１）にレーザ加工によって形成されるか、あるいは、樹脂成形によって形成されることが好ましい。ただし、第１プリズム６４０及び第２プリズム６５０は四角錐形状の凹所に限定されず、例えば、円錐形状の凹所や半楕円体形状の凹所、斜円錐形状の凹所、三角柱形状の凹所などでもよい。さらに、第１配光制御部６４及び第２配光制御部６５は、導光板６の第１表面６１と第２表面６２の両方に設けられても構わない。また、第１プリズム６４０及び第２プリズム６５０は、導光板６の表面（第１表面６１及び第２表面６２）から突出するように形成されてもよい。
【００４３】
ここで、第１のＬＥＤモジュール５Ａから導光板６に入射した第１の光は、導光板６の第１表面６１及び第２表面６２から出射する際、主として第１配光制御部６４によって配光が制御される。一方、第２のＬＥＤモジュール５Ｂから導光板６に入射した第１の光及び第２の光は、導光板６の第１表面６１及び第２表面６２から出射する際、主として第２配光制御部６５によって配光が制御される。そして、照明器具ＸＸの配光特性は、第１ＬＥＤ５０、第２ＬＥＤ５１、第１配光制御部６４及び第２配光制御部６５の配置、第１プリズム６４０及び第２プリズム６５０の形状、第１プリズム６４０及び第２プリズム６５０の向きなどによって決まる。例えば、電源ユニット７から第１ＬＥＤ５０に給電され、かつ、第２ＬＥＤ５１に給電されない場合、３枚の導光板６全体から第１の光（白色光）のみが出射される。また、電源ユニット７から第１ＬＥＤ５０に給電されず、かつ、第２ＬＥＤ５１に給電された場合、３枚の導光板６全体から第２の光（電球色光）のみが出射される。さらに、電源ユニット７から全てのＬＥＤモジュール（第１ＬＥＤ５０及び第２ＬＥＤ５１）に給電された場合、３枚の導光板６全体から第１の光（白色光）と第２の光（電球色）が双方とも出射されて混色される。ただし、第１配光制御部６４及び第２配光制御部６５による配光特性は、実施形態１に係る照明器具Ｘの配光特性Ｚ１１〜Ｚ１３、Ｚ２１〜Ｚ２３と同じでもよいし、異なってもよい。
【００４４】
上述のように照明器具ＸＸにおいて、導光板６は、厚み方向（上下方向）から見ておおよそ多辺形状（８角形状）に形成されていることが好ましい。筐体４は、導光板６の隣り合う複数の辺６０Ａ、６０Ｂ、６０Ｃを含む複数の端面と、第１光源（第１ＬＥＤ５０）及び第２光源（第２ＬＥＤ５１）とを対向させて支持していることが好ましい。
【００４５】
照明器具ＸＸが上述のように構成されれば、第１ＬＥＤ５０及び第２ＬＥＤ５１から放射される光（第１の光及び第２の光）を、導光板６に効率よく入射させることができる。
【００４６】
また、照明器具ＸＸにおいて、筐体４は、３つ以上の導光板６を周方向に並べて支持し、かつ、３つ以上の導光板６に囲まれている領域に第１ＬＥＤ５０及び第２ＬＥＤ５１を収容していることが好ましい。
【００４７】
照明器具ＸＸが上述のように構成されれば、筐体４のデッドスペースを無くし、筐体４の小型化を図ることができる。
【００４８】
さらに、照明器具ＸＸにおいて、第１ＬＥＤ５０及び第２ＬＥＤ５１に給電するための給電部（電源ユニット７）を備えることが好ましい。筐体４は、３つ以上の導光板６を周方向に並べて支持し、かつ、３つ以上の導光板６に囲まれている領域に電源ユニット７を配置していることが好ましい。
【００４９】
照明器具ＸＸが上述のように構成されれば、給電部（電源ユニット７）を備えながらも、大型化を抑制することができる。
【００５０】
なお、実施形態１に係る照明器具Ｘ及び実施形態２に係る照明器具ＸＸは、第１の光及び第２の光と異なる光色の光を放射するＬＥＤ（第３光源）と、主として第３光源の配光を制御する第３配光制御部とを備えていても構わない。この場合、第１光源（第１ＬＥＤ）、第２光源（第２ＬＥＤ）、第３光源（第３ＬＥＤ）は、赤色ＬＥＤ、青色ＬＥＤ、緑色ＬＥＤであってもよい。さらに、発光色の異なる光源の種類が４種類以上であっても構わない。
【符号の説明】
【００５１】
Ｘ、ＸＸ  照明器具
１、４  筐体
３、６  導光板
７  電源ユニット（給電部）
２０、５０  第１ＬＥＤ（第１光源）
２１、５１  第２ＬＥＤ（第２光源）
３０、６１  第１表面
３１、６２  第２表面
３２  入射面（端面）
３３  出射端面
３４、６４  第１配光制御部
３５、６５  第２配光制御部
３４０、６４０  第１プリズム
３５０、６５０  第２プリズム
【図１】
2017107821.tif 000003
【図２】
2017107821.tif 000004
【図３】
2017107821.tif 000005
【図４】
2017107821.tif 000006
【図５】
2017107821.tif 000007
【図６】
2017107821.tif 000008
【図７】
2017107821.tif 000009
【図８】
2017107821.tif 000010
【図９】
2017107821.tif 000011
【図１０】
2017107821.tif 000012
【図１１】
2017107821.tif 000013
【図１２】
2017107821.tif 000014
【図１３】
2017107821.tif 000015
【図１４】
2017107821.tif 000016